(57)【要約】  組合せ計量装置用の制御装置（８０）は、複数の組合せ計量装置（１）から当該組合せ計量装置のそれぞれに設定される組合せ計量に関するパラメータを取得可能な取得部（８１）と、取得部を通じてパラメータを取得可能な組合せ計量装置からパラメータを収集し、収集したパラメータに基づき、取得部を通じて取得可能な組合せ計量装置のうち一部の組合せ計量装置に設定する設定パラメータを生成し、取得部を通じて取得可能な組合せ計量装置のうち一部に設定パラメータを送信する制御部（８２）と、を備える。
2017122636.tif 000002
【特許請求の範囲】
【請求項１】
複数の組合せ計量装置から当該組合せ計量装置のそれぞれに設定される組合せ計量に関するパラメータを取得可能な取得部と、
前記取得部を通じて前記パラメータを取得可能な前記組合せ計量装置から前記パラメータを収集し、収集した前記パラメータに基づき、前記取得部を通じて取得可能な前記組合せ計量装置のうち一部の組合せ計量装置に設定する設定パラメータを生成し、前記取得部を通じて取得可能な前記組合せ計量装置のうち一部に前記設定パラメータを送信する制御部と、を備える、組合せ計量装置用の制御装置。
【請求項２】
前記取得部は、複数の組合せ計量装置と通信可能な通信部であり、
前記制御部は、前記通信部を通じて通信可能な前記組合せ計量装置から、前記組合せ計量装置に設定される組合せ計量に関するパラメータを収集し、収集した前記パラメータに基づき、前記通信部を通じて通信可能な前記組合せ計量装置のうち一部の組合せ計量装置に設定する設定パラメータを生成し、前記通信部を通じて通信可能な前記組合せ計量装置のうち一部に前記設定パラメータを送信する、請求項１記載の組合せ計量装置用の制御装置。
【請求項３】
複数の組合せ計量装置から当該組合せ計量装置のそれぞれに設定される組合せ計量に関するパラメータを取得可能な取得部と、
前記取得部を通じて前記パラメータを取得可能な前記組合せ計量装置のうち特定の組合せ計量装置に対する組合せ計量に関するパラメータを受け付ける受付部と、
前記受付部を介して受け付けた前記パラメータに基づき、前記特定の組合せ計量装置とは異なる他の組合せ計量装置に対し、前記取得部を通じて取得可能な前記組合せ計量装置に設定する設定パラメータを生成し、前記他の組合せ計量装置に前記設定パラメータを送信する制御部と、を備える、組合せ計量装置用の制御装置。
【請求項４】
前記取得部は、複数の組合せ計量装置と通信する通信部であり、
前記受付部は、前記通信部を通じて通信可能な前記組合せ計量装置のうち特定の組合せ計量装置に対する組合せ計量に関するパラメータを受け付け、
前記制御部は、前記受付部を介して受け付けた前記パラメータに基づき、前記特定の組合せ計量装置とは異なる他の組合せ計量装置に対し、前記通信部を通じて通信可能な前記組合せ計量装置に設定する設定パラメータを決定し、前記他の組合せ計量装置に前記設定パラメータを送信する、請求項３記載の組合せ計量装置用の制御装置。
【請求項５】
前記制御部は、前記取得部を通じて前記パラメータを取得可能な前記組合せ計量装置から、前記組合せ計量が実行された回数に占める前記組合せ計量が成立した回数の割合である稼働率を示す稼働率情報を取得し、前記稼働率を判断基準として、所定の稼働率で動作する組合せ計量装置における前記パラメータを前記設定パラメータの候補とするか否かを判断する、請求項１〜４の何れか一項記載の組合せ計量装置用の制御装置。
【請求項６】
前記制御部は、前記稼働率が第１の値である組合せ計量装置から取得したパラメータよりも、前記稼働率が前記第１の値よりも高い第２の値である組合せ計量装置から取得したパラメータを前記設定パラメータの候補とする、請求項５記載の組合せ計量装置用の制御装置。
【請求項７】
前記制御部は、前記稼働率が所定閾値である第３の値よりも大きい組合せ計量装置から取得したパラメータを前記設定パラメータの候補とする、請求項６記載の組合せ計量装置用の制御装置。
【請求項８】
前記制御部は、前記特定の組合せ計量装置から、前記組合せ計量が実行された回数に占める前記組合せ計量が成立した割合である稼働率を示す稼働率情報を取得し、取得した前記稼働率に基づいて、前記パラメータを前記設定パラメータの候補とするか否かを判断する、請求項３又は４記載の組合せ計量装置用の制御装置。
【請求項９】
前記制御部は、前記特定の組合せ計量装置から取得した前記稼働率が所定の値よりも大きい場合、前記パラメータを前記設定パラメータの候補とする、請求項８記載の組合せ計量装置用の制御装置。
【請求項１０】
前記組合せ計量装置は、自装置において過去に設定された複数の前記パラメータに基づき生成される前記パラメータの変化傾向を利用して、自装置に設定する前記パラメータを決定し、
前記制御部は、前記取得部を通じて前記パラメータを取得可能な前記組合せ計量装置から、前記パラメータの変化傾向を生成する際に利用した前記パラメータの数に関する数情報を取得し、取得した前記数情報を基準として、当該数情報に対応する組合せ計量装置における前記パラメータを前記設定パラメータの候補とするか否かを判断する、請求項１〜４の何れか一項記載の組合せ計量装置用の制御装置。
【請求項１１】
前記制御部は、前記取得部を通じて前記パラメータを取得可能な前記組合せ計量装置から、前記組合せ計量装置が有するホッパに設定される目標供給量Ｗと、前記ホッパに実際に投入された物品の供給量Ｗ１とに基づく供給情報を取得し、取得した前記供給情報に基づいて、前記目標供給量Ｗと前記供給量Ｗ１との乖離が所定閾値以内と判断した場合、前記判断の対象とした供給情報の取得元である組合せ計量装置のパラメータを前記設定パラメータの候補とする、請求項１〜４の何れか一項記載の組合せ計量装置用の制御装置。
【請求項１２】
物品を搬送する搬送部と、
前記搬送部によって搬送された前記物品を一時的に貯留する複数のホッパと、
前記ホッパに貯留された前記物品の質量に応じた計量値を計量する計量部と、
前記計量部によって計量され且つ複数の前記ホッパに対応付けられた複数の前記計量値から、合計値が目標計量値となるように前記計量値の組合せを選択し、当該組合せに対応する前記ホッパに前記物品を排出させる計量制御部と、
請求項１〜１１の何れか一項記載の組合せ計量装置用の制御装置と、を備える、組合せ計量装置。
【請求項１３】
複数の組合せ計量装置と、
請求項１〜１１の何れか一項記載の組合せ計量装置用の制御装置と、を備え、
前記組合せ計量装置は、
物品を搬送する搬送部と、
前記搬送部によって搬送された前記物品を一時的に貯留する複数のホッパと、
前記ホッパに貯留された前記物品の質量に応じた計量値を計量する計量部と、
前記計量部によって計量され且つ複数の前記ホッパに対応付けられた複数の前記計量値から、合計値が目標計量値となるように前記計量値の組合せを選択し、当該組合せに対応する前記ホッパに前記物品を排出させる計量制御部と、を有する、組合せ計量装置システム。
【発明の詳細な説明】
【技術分野】
【０００１】
本開示の一形態は、組合せ計量装置用の制御装置、組合せ計量装置及び組合せ計量装置システムに関する。
【背景技術】
【０００２】
菓子や果物など個々の重量にばらつきがある物品を、許容範囲内の合計重量となるように計り分ける組合せ計量装置が知られている。この組合せ計量装置は、振動によって物品を搬送する放射フィーダと、放射フィーダから排出された物品を保持して計量する計量ホッパとを有するヘッドが複数設けられる。そして、この組合せ計量装置は、各計量ホッパで計量された質量を組合せ演算して、その結果から物品を排出する計量ホッパを選択する。【０００３】
この組合せ計量装置は、例えば、特許文献１に示されるように、放射フィーダでの振動時間、振動強度、又は計量ホッパのゲートの開閉時間など、組合せ計量に関する様々なパラメータを決定する。また、組合せ計量装置は、作業者（オペレータ）等により、各組合せ計量装置に設けられている操作部を介して各種パラメータが入力される。
【先行技術文献】
【特許文献】
【０００４】
【特許文献１】特開２００５−１２１５１２号公報
【発明の概要】
【発明が解決しようとする課題】
【０００５】
上記した組合せ計量装置は、例えば、複数台設置されることも多く、工場等に互いに間隔をあけて配置されることも多い。このため、組合せ計量装置ごとに上記パラメータを設定する作業は、作業者等にとって負担が大きく利便性に欠ける。【０００６】
本開示の一形態は、複数の組合せ計量装置において組合せ計量に関するパラメータを設定する際の作業者の利便性を向上できる組合せ計量装置用の制御装置、組合せ計量装置及び組合せ計量装置システムを提供することを目的とする。
【課題を解決するための手段】
【０００７】
本開示の一形態に係る組合せ計量装置用の制御装置は、複数の組合せ計量装置から当該組合せ計量装置のそれぞれに設定される組合せ計量に関するパラメータを取得可能な取得部と、取得部を通じてパラメータを取得可能な組合せ計量装置からパラメータを収集し、収集したパラメータに基づき、取得部を通じて取得可能な組合せ計量装置のうち一部の組合せ計量装置に設定する設定パラメータを生成し、取得部を通じて取得可能な組合せ計量装置のうち一部に設定パラメータを送信する制御部と、を備える。【０００８】
この構成の組合せ計量装置用の制御装置は、少なくとも一の組合せ計量装置においてパラメータが設定されれば、当該パラメータを自動的に収集して設定パラメータを決定し、複数の組合せ計量装置に対し当該設定パラメータを設定させる。これにより、作業者は、個々の組合せ計量装置にパラメータを設定して回る手間を省ける。この結果、複数の組合せ計量装置において組合せ計量に関するパラメータを設定する際の作業者の利便性を向上できる。【０００９】
本開示の一形態に係る組合せ計量装置用の制御装置では、取得部は、複数の組合せ計量装置と通信可能な通信部であり、制御部は、通信部を通じて通信可能な組合せ計量装置から、組合せ計量装置に設定される組合せ計量に関するパラメータを収集し、収集したパラメータに基づき、通信部を通じて通信可能な組合せ計量装置のうち一部の組合せ計量装置に設定する設定パラメータを生成し、通信部を通じて通信可能な組合せ計量装置のうち一部に設定パラメータを送信してもよい。【００１０】
この構成の組合せ計量装置用の制御装置では、複数の組合せ計量装置と通信可能な通信部を介してパラメータをやりとりできるので、複数の組合せ計量装置において組合せ計量に関するパラメータを設定する際の作業者の利便性を更に向上できる。【００１１】
本開示の一形態に係る組合せ計量装置用の制御装置は、複数の組合せ計量装置から当該組合せ計量装置のそれぞれに設定される組合せ計量に関するパラメータを取得可能な取得部と、取得部を通じてパラメータを取得可能な組合せ計量装置のうち特定の組合せ計量装置に対する組合せ計量に関するパラメータを受け付ける受付部と、受付部を介して受け付けたパラメータに基づき、特定の組合せ計量装置とは異なる他の組合せ計量装置に対し、取得部を通じて取得可能な組合せ計量装置に設定する設定パラメータを生成し、他の組合せ計量装置に設定パラメータを送信する制御部と、を備える。【００１２】
この構成の組合せ計量装置用の制御装置は、当該制御装置における受付部を介して特定の組合せ計量装置に対するパラメータを受け付ける。そして、制御装置は、当該パラメータが設定パラメータとして決定すると、特定の組合せ計量装置とは異なる他の組合せ計量装置に対しても当該設定パラメータを設定させる。これにより、作業者は、個々の組合せ計量装置にパラメータを設定して回る手間を省ける。この結果、複数の組合せ計量装置において組合せ計量に関するパラメータを設定する際の作業者の利便性を向上できる。【００１３】
本開示の一形態に係る組合せ計量装置用の制御装置では、取得部は、複数の組合せ計量装置と通信する通信部であり、受付部は、通信部を通じて通信可能な組合せ計量装置のうち特定の組合せ計量装置に対する組合せ計量に関するパラメータを受け付け、制御部は、受付部を介して受け付けたパラメータに基づき、特定の組合せ計量装置とは異なる他の組合せ計量装置に対し、通信部を通じて通信可能な組合せ計量装置に設定する設定パラメータを決定し、他の組合せ計量装置に設定パラメータを送信してもよい。【００１４】
この構成の組合せ計量装置用の制御装置では、複数の組合せ計量装置と通信可能な通信部を介してパラメータをやりとりできるので、複数の組合せ計量装置において組合せ計量に関するパラメータを設定する際の作業者の利便性を更に向上できる。【００１５】
本開示の一形態に係る組合せ計量装置用の制御装置では、制御部は、取得部を通じてパラメータを取得可能な組合せ計量装置から、組合せ計量が実行された回数に占める組合せ計量が成立した回数の割合である稼働率を示す稼働率情報を取得し、上記稼働率を判断基準として、所定の稼働率で動作する組合せ計量装置におけるパラメータを設定パラメータの候補とするか否かを判断してもよい。【００１６】
この構成の組合せ計量装置用の制御装置は、通信部を通じて通信可能な組合せ計量装置からパラメータだけでなく稼働率も収集する。これにより、制御装置は、収集したパラメータの中から設定パラメータの候補とするか否かを、パラメータの良否の指標となる稼働率に基づいて判断できる。【００１７】
本開示の一形態に係る組合せ計量装置用の制御装置では、制御部は、稼働率が第１の値である組合せ計量装置から取得したパラメータよりも、稼働率が第１の値よりも高い第２の値である組合せ計量装置から取得したパラメータを設定パラメータの候補としてもよい。【００１８】
この構成の組合せ計量装置用の制御装置は、複数のパラメータが取得された場合、相対的に高い稼働率を実現できるパラメータを設定パラメータの候補とする。これにより、制御装置は、高い稼働率を実現できる組合せ計量装置のパラメータが設定パラメータとして設定できる。この結果、通信部を介して互いに通信可能な複数の組合せ計量装置の稼働率をより高めることができる。すなわち、通信部を介して互いに通信可能な複数の組合せ計量装置の処理能力を向上できる。【００１９】
本開示の一形態に係る組合せ計量装置用の制御装置では、制御部は、稼働率が所定閾値である第３の値よりも大きい組合せ計量装置から取得したパラメータを設定パラメータの候補としてもよい。【００２０】
この構成の組合せ計量装置用の制御装置は、一定以上の稼働率を実現できる組合せ計量装置のパラメータのみを設定パラメータとして設定する。この結果、通信部を介して互いに通信可能な複数の組合せ計量装置の稼働率を一定値以上に高められる。すなわち、通信部を介して互いに通信可能な複数の組合せ計量装置の処理能力を一定以上に維持できる。【００２１】
本開示の一形態に係る組合せ計量装置用の制御装置では、制御部は、特定の組合せ計量装置から、組合せ計量が実行された回数に占める組合せ計量が成立した割合である稼働率を示す稼働率情報を取得し、取得した稼働率に基づいて、パラメータを設定パラメータの候補とするか否かを判断してもよい。【００２２】
この構成の組合せ計量装置用の制御装置は、通信部を通じて通信可能な組合せ計量装置からパラメータだけでなく稼働率も収集する。これにより、制御装置は、収集したパラメータの中から設定パラメータの候補とするか否かを、パラメータの良否の指標となる稼働率に基づいて判断できる。【００２３】
本開示の一形態に係る組合せ計量装置用の制御装置では、制御部は、特定の組合せ計量装置から取得した稼働率が所定の値よりも大きい場合、パラメータを設定パラメータの候補としてもよい。【００２４】
この構成の組合せ計量装置用の制御装置は、一定以上の稼働率を実現できる組合せ計量装置のパラメータのみを設定パラメータとして設定する。この結果、通信部を介して互いに通信可能な複数の組合せ計量装置の稼働率を一定値以上に高められる。すなわち、この制御装置は、通信部を介して互いに通信可能な複数の組合せ計量装置の処理能力を一定以上に維持できる。【００２５】
本開示の一形態に係る組合せ計量装置用の制御装置では、組合せ計量装置は、自装置において過去に設定された複数のパラメータに基づき生成されるパラメータの変化傾向を利用して、自装置に設定するパラメータを決定し、制御部は、取得部を通じてパラメータを取得可能な組合せ計量装置から、パラメータの変化傾向を生成する際に利用したパラメータの数に関する数情報を取得し、取得した数情報を基準として、当該数情報に対応する組合せ計量装置におけるパラメータを設定パラメータの候補とするか否かを判断してもよい。【００２６】
この構成の組合せ計量装置用の制御装置は、自装置において過去に設定された複数のパラメータに基づき生成されるパラメータの変化傾向を利用する制御方法、いわゆる学習制御によって何らかの制御を行う際の組合せ計量に関するパラメータを更新する場合、より多くの数に基づいて更新されたパラメータほど、目標に近い動作を得ることが知られている。言い換えれば、より深い学習によって更新されたパラメータほど、精度の高いパラメータであると言える。この構成の計量装置用の制御装置では、収集したパラメータの中から設定パラメータの候補とするか否かを、パラメータの良否に指標となる学習の深さに基づいて判断できる。【００２７】
本開示の一形態に係る組合せ計量装置用の制御装置では、制御部は、取得部を通じてパラメータを取得可能な組合せ計量装置から、組合せ計量装置が有するホッパに設定される目標供給量Ｗと、ホッパに実際に投入された物品の供給量Ｗ１とに基づく供給情報を取得し、取得した供給情報に基づいて、目標供給量Ｗと供給量Ｗ１との乖離が所定閾値以内と判断した場合、判断の対象とした供給情報の取得元である組合せ計量装置のパラメータを設定パラメータの候補としてもよい。【００２８】
目標供給量の物品が計量部によって計量されるホッパに供給されると、稼働率が高くなることが経験的に知られている。すなわち、目標供給量Ｗと供給量Ｗ１との乖離の度合いが小さくするほど稼働率が高められる。この構成の組合せ計量装置用の制御装置は、収集したパラメータの中から設定パラメータの候補とするか否かを、パラメータの良否の指標となる稼働率に基づいて判断できる。【００２９】
本開示の一形態に係る組合せ計量装置は、物品を搬送する搬送部と、搬送部によって搬送された物品を一時的に貯留する複数のホッパと、ホッパに貯留された物品の質量に応じた計量値を計量する計量部と、計量部によって計量され且つ複数のホッパに対応付けられた複数の計量値から、合計値が目標計量値となるように計量値の組合せを選択し、当該組合せに対応するホッパに物品を排出させる計量制御部と、上記の組合せ計量装置用の制御装置と、を備える。【００３０】
この構成の組合せ計量装置は、通信部を介して接続される少なくとも一の組合せ計量装置においてパラメータが設定されれば、当該パラメータを自動的に収集して設定パラメータを決定し、複数の組合せ計量装置に対し当該設定パラメータを設定させる。これにより、作業者は、個々の組合せ計量装置にパラメータを設定して回る手間を省ける。この結果、複数の組合せ計量装置において組合せ計量に関するパラメータを設定する際の作業者の利便性を向上できる。【００３１】
本開示の一形態に係る組合せ計量装置システムは、複数の組合せ計量装置と、上記の組合せ計量装置用の制御装置と、を備え、組合せ計量装置は、物品を搬送する搬送部と、搬送部によって搬送された物品を一時的に貯留する複数のホッパと、ホッパに貯留された物品の質量に応じた計量値を計量する計量部と、計量部によって計量され且つ複数のホッパに対応付けられた複数の計量値から、合計値が目標計量値となるように計量値の組合せを選択し、当該組合せに対応するホッパに物品を排出させる計量制御部と、を有する。【００３２】
この構成の組合せ計量装置システムは、組合せ計量装置用の制御装置に接続される少なくとも一の組合せ計量装置においてパラメータが設定されれば、当該パラメータを自動的に収集して設定パラメータを決定し、複数の組合せ計量装置に対し当該設定パラメータを設定させる。これにより、作業者は、個々の組合せ計量装置にパラメータを設定して回る手間を省ける。この結果、複数の組合せ計量装置において組合せ計量に関するパラメータを設定する際の作業者の利便性を向上できる。
【発明の効果】
【００３３】
本開示の一形態によれば、複数の組合せ計量装置において組合せ計量に関するパラメータを設定する際の作業者の利便性を向上できる。
【図面の簡単な説明】
【００３４】
【図１】図１は、一実施形態に係る組合せ計量装置システムの構成を模式的に示す図である。
【図２】図２は、図１に含まれる組合せ計量装置の構成を示す図である。
【図３】図３は、組合せ計量装置システムの機能構成を示すブロック図である。
【図４】図４は、層厚Ｓと供給量Ｗ１との関係を示したグラフである。
【図５】図５は、他の実施形態に係る組合せ計量装置の構成を模式的に示す図である。
【発明を実施するための形態】
【００３５】
以下、図面を参照して一実施形態について説明する。図面の説明において、同一要素には同一符号を付し、重複する説明を省略する。
【００３６】
図１に示されるように、組合せ計量システム１００は、複数の組合せ計量装置１と、管理サーバ（組合せ計量装置の制御装置）８０と、を備える。管理サーバ８０と複数の組合せ計量装置１とは、有線又は無線ＬＡＮ（Local  Area  Network）７０を介して互いに通信可能に接続される。ここでは、工場内の管理室等に配備される管理サーバ８０によって工場内に配置された複数の組合せ計量装置１が管理される、組合せ計量システム１００を例に挙げて説明する。
【００３７】
図２に示されるように、組合せ計量装置１は、投入シュート２と、分散フィーダ（搬送部）３と、複数の放射フィーダ（搬送部）４と、測距センサ４５（図３参照）と、複数のプールホッパ５と、複数の計量ホッパ（ホッパ）６と、複数のブースタホッパ（ホッパ）７と、集合シュート８と、タイミングホッパ９と、計量部１１と、計量制御部２０と、を備える。組合せ計量装置１は、搬送コンベア５０によって供給される物品Ａを目標計量値となるように計量して製袋包装機６０に供給する。ここで、物品Ａは、例えば農産物、水産物、加工食品等のように、単体質量にばらつきのある物品である。なお、製袋包装機６０は、フィルムを所定容量の袋に成形しつつ、組合せ計量装置１によって計量されて供給された物品Ａを袋詰めする。
【００３８】
投入シュート２は、搬送コンベア５０の搬送端５０ａの下方に配置される。投入シュート２は、搬送コンベア５０の搬送端５０ａから落下した物品Ａを受けて下方に排出する。
【００３９】
分散フィーダ３は、投入シュート２の下方に配置される。分散フィーダ３は、下方に向かって末広がりの円錐状の搬送面３ａを有する。分散フィーダ３は、搬送面３ａを振動させることで、投入シュート２から搬送面３ａの頂部に排出された物品Ａを搬送面３ａの外縁に向かって均一に搬送する。
【００４０】
複数の放射フィーダ４は、分散フィーダ３の搬送面３ａの外縁に沿って放射状に配置される。各放射フィーダ４は、搬送面３ａの外縁の下方から外側に延在するトラフ４ａを有する。各放射フィーダ４は、トラフ４ａを振動させることで、搬送面３ａの外縁から排出された物品Ａをトラフ４ａの先端部に向かって搬送する。
【００４１】
各放射フィーダ４の上方には、各放射フィーダ４に対応して、測距センサ４５がそれぞれ配置される。測距センサ４５は、当該測距センサ４５と放射フィーダ４上の物品との間の距離を検出する。測距センサ４５は、例えば、物品Ａに向かって光を照射し、物品Ａで反射された光を受光することにより、測距センサ４５と物品との間の距離を得る。図３に示されるように、測距センサ４５は、放射フィーダ４の排出端近傍に位置する物品Ａとの間の距離を検出する。測距センサ４５は、検出した物品Ａとの距離を示す検出信号を計量制御部２０に出力する。計量制御部２０では、放射フィーダ４のトラフ４ａの底面から測距センサ４５までの距離と、検出信号が示す距離との差に基づいて、物品Ａの層厚Ｓに変換する。
【００４２】
図２に戻り、各プールホッパ５は、各放射フィーダ４のトラフ４ａの先端部の下方に配置される。各プールホッパ５は、その底部に対して、開閉可能なゲート５ａを有する。各プールホッパ５は、ゲート５ａを閉じることにより、対応するトラフ４ａの先端部から排出された物品Ａを一時的に貯留する。さらに、各プールホッパ５は、ゲート５ａを開くことで、一時的に貯留した物品Ａを下方に排出する。
【００４３】
各計量ホッパ６は、各プールホッパ５のゲート５ａの下方に配置される。各計量ホッパ６は、その底部に対して、開閉可能なゲート６ａ及びゲート６ｂを有する。各計量ホッパ６は、ゲート６ａ及びゲート６ｂを閉じた状態で、対応するプールホッパ５から排出された物品Ａを一時的に貯留し、ゲート６ａ又はゲート６ｂを開くことで、一時的に貯留した物品Ａを下方に排出する。
【００４４】
各ブースタホッパ７は、各計量ホッパ６のゲート６ａの下方に配置される。各ブースタホッパ７は、その底部に対して、開閉可能なゲート７ａを有する。各ブースタホッパ７は、ゲート７ａを閉じることにより、対応する計量ホッパ６のゲート６ａ側から排出された物品Ａを一時的に貯留する。さらに、各ブースタホッパ７は、ゲート７ａを開くことで、一時的に貯留した物品Ａを下方に排出する。
【００４５】
集合シュート８は、下方に向かって先細りの円錐台の内面８ａを有する筒状に形成される。集合シュート８は、内面８ａが全ての計量ホッパ６及び全てのブースタホッパ７の下方に位置するように配置される。集合シュート８は、各計量ホッパ６のゲート６ｂ側から排出された物品Ａ、及び各ブースタホッパ７から排出された物品Ａを内面８ａで受けて下方に排出する。
【００４６】
タイミングホッパ９は、集合シュート８の下方に配置される。タイミングホッパ９は、その底部に対して、開閉可能なゲート９ａを有する。タイミングホッパ９は、ゲート９ａを閉じた状態で、集合シュート８から排出された物品Ａを一時的に貯留し、ゲート９ａを開くことで、一時的に貯留した物品Ａを製袋包装機６０に排出する。
【００４７】
なお、投入シュート２、分散フィーダ３、複数の放射フィーダ４、複数のプールホッパ５及び複数の計量ホッパ６は、ケース１３に直接的に又は間接的に支持される。測距センサ４５、複数のブースタホッパ７、集合シュート８及びタイミングホッパ９は、フレーム１２に直接的に又は間接的に支持される。
【００４８】
計量部１１は、フレーム１２に支持されたケース１３内に配置される。計量部１１は、複数のロードセル１１ａを有する。各ロードセル１１ａは、対応する計量ホッパ６を支持する。計量部１１は、各計量ホッパ６に物品Ａが一時的に貯留される際に、当該物品Ａの質量に応じた計量値を計量する。
【００４９】
計量制御部２０は、ケース１３内に配置される。計量制御部２０は、ＣＰＵ（Central  Processing  Unit）、ＲＯＭ（Read  Only  Memory）、及びＲＡＭ（Random  Access  Memory）等を有する。計量制御部２０は、組合せ計量装置１の各部の動作を制御する。具体的に計量制御部２０は、分散フィーダ３及び放射フィーダ４の搬送動作、各プールホッパ５のゲート５ａの開閉動作、各計量ホッパ６のゲート６ａ及びゲート６ｂの開閉動作、各ブースタホッパ７のゲート７ａの開閉動作、並びに各タイミングホッパ９のゲート９ａ等を制御する。
【００５０】
組合せ計量装置１には、これらの動作を制御する際のパラメータ（以後、「組合せ計量に関するパラメータ」と称する。）が設定される。具体的には、計量制御部２０は、組合せ計量に関するパラメータを記憶する。記憶するこのパラメータは、例えば、初期値として記憶されるパラメータがある。また別のパラメータとしては、図示しない操作部等を介して作業者により入力設定されるパラメータがある。組合せ計量に関するパラメータの例には、分散フィーダ３における分散目標質量、送力（強度）及び時間、放射フィーダ４における送力（強度）及び時間、プールホッパ５、計量ホッパ６、及びブースタホッパ７における開閉動作及び動作タイミング、並びに計量時のフィルタ等が含まれる。
【００５１】
計量制御部２０は、計量部１１によって計量された計量値と、当該計量値に対応する物品Ａが貯留される計量ホッパ６及び／又はブースタホッパ７とを対応付けて記憶する。具体的には、計量制御部２０は、計量部１１によって計量された物品Ａが計量ホッパ６に貯留される場合、計量部１１によって計量された計量値と、当該計量値に対応する物品Ａを貯留する計量ホッパ６とを対応付けて記憶する。計量部１１によって計量された物品Ａが当該計量ホッパ６に対応するブースタホッパ７に排出された場合、計量制御部２０は、計量部１１によって計量された物品Ａの計量値と、当該計量ホッパ６に対応するブースタホッパ７とを対応付けて記憶する。
【００５２】
計量制御部２０は、計量部１１によって計量され且つ計量ホッパ６及び／又はブースタホッパ７に対応付けられた複数の計量値から、合計値が目標計量値となるように計量値の組合せを選択する。具体的には、計量制御部２０は、計量部１１によって出力された複数の計量値から、目標計量値を下限値とする所定範囲内に合計値が収まるように計量値の組合せを選択する。そして、計量制御部２０は、当該組合せに対応する計量ホッパ６及び／又はブースタホッパ７に物品Ａを排出させる。
【００５３】
図４に示されるように、層厚Ｓが厚いほど、プールホッパ５（計量ホッパ６）に供給される供給量Ｗ１が多くなる傾向がある。そこで、計量制御部２０は、測距センサ４５により取得されるトラフ４ａ上の物品Ａの層厚Ｓ（図３参照）の変化に応じて放射フィーダ４の送力Ｐを制御する。更に詳細には、計量制御部２０は、物品の層厚Ｓと、放射フィーダ４の供給量Ｗ１と、放射フィーダ４の送力Ｐと、の関係である下記の式（１）に基づいて、放射フィーダ４の送力Ｐを制御する。
Ｐ＝Ｂ×Ｗ／Ｓ＋Ｃ  …（１）
【００５４】
送力Ｐは、放射フィーダ４の振動の振幅である。送力Ｐの値が小さい場合には、振幅は、小さくなる。そのため、放射フィーダ４から計量ホッパ６（プールホッパ５）に供給される物品Ａの供給量は少なくなる。送力Ｐの値が大きい場合には、振幅は大きくなる。そのため、放射フィーダ４から計量ホッパ６に供給される物品Ａの供給量は多くなる。図３に示されるように、層厚Ｓは、放射フィーダ４の排出端近傍における、放射フィーダ４のトラフ４ａの底面と物品Ａの上部との間の距離である。供給量Ｗ１は、放射フィーダ４からプールホッパ５を介して計量ホッパ６に供給される物品Ａの量である。
【００５５】
上記式（１）において、「Ｂ」及び「Ｃ」のそれぞれは、係数である。係数Ｂ及び係数Ｃは、組合せ計量装置１の初期状態においては、例えば、組合せ計量装置１の構成に応じて、経験的に求められた値が初期値として与えられている。係数Ｂ及び係数Ｃは、放射フィーダ４の形状及び／又は物品の種類に応じて変更可能な値である。なお、上記式（１）に用いられる目標供給量Ｗ、係数Ｂ及び係数Ｃも、上述した組合せ計量に関するパラメータに含まれる。
【００５６】
計量制御部２０は、学習制御によって上記係数Ｂ及び係数Ｃを更新する。具体的に計量制御部２０は、過去から継続的に取得した層厚Ｓ、供給量Ｗ１及び送力Ｐに基づき、上記係数Ｂ及び係数Ｃを逐次算出する。ここで、係数Ｂ及び係数Ｃは、自装置において過去に設定された複数の上記パラメータに基づき生成される上記パラメータの変化傾向を示す。計量制御部２０は、予め定められた目標供給量Ｗとなるように層厚Ｓに応じて送力Ｐを制御した際の、実際の供給量Ｗ１を履歴情報として記憶する。この場合、計量制御部２０は、送力Ｐと、供給量Ｗ１を層厚Ｓによって除した値（供給量Ｗ１／層厚Ｓ）と、放射フィーダ４の動作時間ｔを関連付けて記憶する。計量制御部２０は、このような履歴情報に基づいて、係数Ｂ及び係数Ｃを更新する。
【００５７】
このように記憶させた複数の履歴情報に基づき、計量制御部２０は、係数Ｂ及び係数Ｃを算出する。この場合、計量制御部２０は、層厚Ｓ、供給量Ｗ１及び送力Ｐに対して上記式（１）に示す関係が成立すると仮定して係数Ｂ及び係数Ｃを算出する。具体的に計量制御部２０は、新たな係数Ｂ及び係数Ｃを、例えば、放射フィーダ４の動作時間ｔ毎に、これまでに取得した履歴情報に基づき最小二乗法等により導出する。また、新たな係数Ｂ及び係数Ｃを導出する際には、個々の履歴情報に重み（新たな係数Ｂ及び係数Ｃを決定する際の影響力の大きさ）を設定できる。例えば、現在の時刻に対して近い情報については、その重みは高くなる。この係数Ｂ及び係数Ｃは、現在または将来における送力Ｐを決定する際に利用される。
【００５８】
次に、管理サーバ８０について説明する。図１に示されるように、管理サーバ８０は、ディスプレイ（図示せず）、通信部８１、パラメータ制御部（制御部）８２と、受付部８３と、を主に備えている。
【００５９】
通信部８１は、複数の組合せ計量装置１との通信を可能にする。通信部８１は、例えば、ＬＡＮインタフェースである。
【００６０】
パラメータ制御部８２は、複数の組合せ計量装置１において設定される組合せ計量に関するパラメータを制御する機器である。このパラメータ制御部８２は、ＣＰＵ（Central  Processing  Unit）と、主記憶装置としてのＲＯＭ（Read  Only  Memory）及びＲＡＭ（Random  Access  Memory）と、補助記憶装置としてのハードディスク又はｍＳＡＴＡ規格のＳＳＤ（Solid  State  Drive）など）等で構成される。
【００６１】
パラメータ制御部８２は、通信部８１を通じて通信可能な複数の組合せ計量装置１（以下、通信部８１を通じて通信可能な複数の組合せ計量装置１を単に「複数の組合せ計量装置１」と称する。）から、組合せ計量装置１に設定される組合せ計量に関するパラメータを収集する。パラメータ制御部８２は、複数の組合せ計量装置１に対して、パラメータを送信させるように命令し、パラメータを収集してもよい。また、パラメータ制御部８２は、複数の組合せ計量装置１から連続的又は定期的に送信されてくるパラメータを収集するようにしてもよい。パラメータの収集のタイミングは、一定の時間ごと、組合せ計量装置１における計量動作ごと、組合せ計量装置１における一定の数の計量動作ごと等、適宜設定されることが望ましい。
【００６２】
パラメータ制御部８２は、収集したパラメータに基づき、複数の組合せ計量装置１に共通して設定する共通パラメータ（設定パラメータ）を自身のＲＡＭ等の記憶部に設定する。パラメータ制御部８２は、複数の組合せ計量装置１に共通パラメータを送信し、送信先の組合せ計量装置１に対し当該共通パラメータを設定させる。パラメータ制御部８２が、複数の組合せ計量装置１の中のどの組合せ計量装置１から取得したパラメータを共通パラメータの候補とするかは、例えば、下記に示す四つの処理の何れかを実施することにより決定できる。
【００６３】
第一の処理は、組合せ計量が実行された回数に占める組合せ計量が成立した回数の割合である稼働率を示す稼働率情報に基づく処理である。すなわち、パラメータ制御部８２は、複数の組合せ計量装置１から、上記パラメータに加えて稼働率情報も取得する。パラメータ制御部８２は、稼働率を判断基準として、所定の稼働率で動作する組合せ計量装置１におけるパラメータを共通パラメータの候補とするか否かを判断する。具体的には、パラメータ制御部８２は、稼働率が第１の値である組合せ計量装置１から取得したパラメータよりも、稼働率が第１の値よりも高い第２の値である組合せ計量装置１から取得したパラメータを優先して共通パラメータの候補とする。また、例えば、パラメータ制御部８２は、複数の組合せ計量装置１の中から、より高い稼働率で動作する組合せ計量装置１から取得したパラメータを優先して共通パラメータの候補とする。また、例えば、パラメータ制御部８２は、複数の組合せ計量装置１の中から、最も稼働率が高い組合せ計量装置１から取得したパラメータを共通パラメータの候補とする。
【００６４】
第二の処理は、第一の処理と同様に、稼働率情報に基づく処理である。すなわち、パラメータ制御部８２は、稼働率が第３の値よりも大きい組合せ計量装置１から取得したパラメータを共通パラメータの候補とする。言い換えれば、複数の組合せ計量装置１の中から、所定閾値以上（例えば９８％以上）の稼働率で動作する組合せ計量装置１から取得したパラメータを共通パラメータの候補とする。
【００６５】
第三の処理は、複数の組合せ計量装置１が、自装置において過去に設定された複数のパラメータに基づき更新（生成）されるパラメータの変化傾向を利用して、現在又は将来において自装置に設定するパラメータを決定する場合に適用することが可能であり、学習の深さに基づく処理である。学習の深さとは、更新に用いられた履歴情報の数である。すなわち、パラメータ制御部８２は、複数の組合せ計量装置１から、上記パラメータ（係数Ｂ及び係数Ｃ）に加えて、当該パラメータの学習の深さも取得する。パラメータ制御部８２は、この学習の深さを判断基準として、当該学習の深さを有するパラメータを共通のパラメータの候補とするか否かを判断する。例えば、パラメータ制御部８２は、複数の組合せ計量装置１の中から取得した上記パラメータ（係数Ｂ及び係数Ｃ）の中で最も深く学習されたパラメータを共通パラメータの候補とする。なお、上記学習の深さは、更新に用いられた履歴情報の数に加えて履歴情報のばらつきを含む情報でも構わない。履歴情報のばらつきとは、履歴情報に基づく値を所定の座標空間上にプロットした際における値の分散に関する情報である。履歴情報が所定の座標空間上に分散している場合、学習は深くなる傾向にある。一方、履歴情報が所定の座標空間上に密集している場合、学習は浅い傾向にある。
【００６６】
第四の処理は、組合せ計量装置１が有するプールホッパ５（計量ホッパ６）に設定される目標供給量Ｗと、プールホッパ５（計量ホッパ６）に実際に投入された物品Ａの供給量Ｗ１との乖離の度合いに基づく処理である。すなわち、パラメータ制御部８２は、複数の組合せ計量装置１から、上記パラメータに加えて乖離の度合い情報も取得する。パラメータ制御部８２は、この乖離の度合いを判断基準として、当該乖離の度合いで動作する組合せ計量装置１におけるパラメータを共通のパラメータの候補とするか否かを判断する。例えば、パラメータ制御部８２は、複数の組合せ計量装置１の中から、より低い乖離の度合いで動作する組合せ計量装置１から取得したパラメータを共通パラメータの候補とする。また、例えば、パラメータ制御部８２は、複数の組合せ計量装置１の中から、最も乖離の度合いの低い組合せ計量装置１から取得したパラメータを共通パラメータの候補とする。
【００６７】
パラメータ制御部８２は、上述した第一の処理〜第四の処理の何れかの処理を実行するように実装されていてもよい。また、パラメータ制御部８２は、第一の処理〜第四の処理を選択可能な受付部８３を介して作業者（オペレータ）によって選択（入力）された処理を実行するようにしてもよい。
【００６８】
受付部８３は、パラメータ制御部８２が実行するパラメータ制御の各種条件等を受け付ける。例えば、受付部８３は、複数の組合せ計量装置１から収集したパラメータから共通パラメータの候補を選択する場合の処理（第一処理〜第四処理）を選択可能に受け付ける。
【００６９】
以上説明したように、上記実施形態の組合せ計量システム１００の管理サーバ８０は、少なくとも一の組合せ計量装置１においてパラメータが設定されれば、当該パラメータを自動的に収集して共通パラメータを決定し、複数の組合せ計量装置に対し当該共通パラメータを設定させる。これにより、作業者は、個々の組合せ計量装置にパラメータを設定して回る手間を省ける。この結果、複数の組合せ計量装置において組合せ計量に関するパラメータを設定する際の作業者の利便性を向上できる。
【００７０】
以上、一実施形態について説明したが、本開示の一形態は、上記実施形態に限られるものではなく、開示の趣旨を逸脱しない範囲で種々の変更が可能である。
【００７１】
上記実施形態の組合せ計量システム１００では、管理サーバ８０が、通信部８１を介して接続可能な複数の組合せ計量装置１からパラメータを収集する例を挙げて説明したが、本開示の一形態はこれに限定されない。例えば、パラメータ制御部８２は、複数の組合せ計量装置１からパラメータを収集する機能に代えて、又は加えて、受付部８３を介して、通信部８１を通じて通信可能な組合せ計量装置１のうち一又は複数の組合せ計量装置１に対する組合せ計量に関するパラメータを受け付ける機能を有していてもよい。受付部８３は、一又は複数の組合せ計量装置１に対する組合せ計量に関するパラメータを受け付ける。受付部８３は、キーボード及び／又はマウス等の入力装置により各種パラメータを受け付ける。
【００７２】
パラメータ制御部８２は、受付部８３を介して受け付けたパラメータに基づき、特定の組合せ計量装置１とは異なる他の組合せ計量装置１に対し、複数の組合せ計量装置１に共通して設定する共通パラメータを決定し、他の組合せ計量装置１に設定した共通パラメータを送信し、送信先の組合せ計量装置１に対し当該共通パラメータを設定させる。
【００７３】
このような他の実施形態に係る組合せ計量システム１００では、管理サーバ８０における受付部８３を介して特定の組合せ計量装置１に対するパラメータを受け付け、当該パラメータが共通パラメータとして決定されると、特定の組合せ計量装置１とは異なる他の組合せ計量装置１に対しても当該共通パラメータを設定させる。これにより、作業者は、個々の組合せ計量装置１にパラメータを設定して回る手間を省ける。この結果、複数の組合せ計量装置１において組合せ計量に関するパラメータを設定する際の作業者の利便性を向上できる。
【００７４】
このような他の実施形態に係る組合せ計量システム１００では、パラメータ制御部８２は、特定の組合せ計量装置１から稼働率を示す稼働率情報を取得し、取得した稼働率に基づいて、パラメータを共通パラメータの候補とするか否かを判断してもよい。これにより、収集したパラメータの中から共通パラメータの候補とするか否かを、パラメータの良否の指標となる稼働率に基づいて判断できる。
【００７５】
また、このような他の実施形態に係る組合せ計量システム１００では、パラメータ制御部８２は、特定の組合せ計量装置１から取得した稼働率が所定の値よりも大きい場合、パラメータを共通パラメータの候補としてもよい。この場合一定以上の稼働率を実現できる組合せ計量装置１のパラメータのみが共通パラメータとして設定される。この結果、通信部８１を介して互いに通信可能な複数の組合せ計量装置１の稼働率を一定値以上に高めることができる。すなわち、通信部８１を介して互いに通信可能な複数の組合せ計量装置１の処理能力を一定以上に維持できる。
【００７６】
上記実施形態の組合せ計量システム１００では、複数の組合せ計量装置１とは異なる管理サーバ８０が、複数の組合せ計量装置１において共通で用いられる共通パラメータを収集、配布する例を挙げて説明したが、これに限定されない。例えば、図５に示されるように、複数の組合せ計量装置１のうち、少なくとも一の組合せ計量装置１Ａが、上記実施形態で説明した管理サーバ８０と同様の機能を発揮する制御装置２８０を有する構成の組合せ計量システム２００としてもよい。
【００７７】
この構成の組合せ計量システム２００であっても、上記実施形態の組合せ計量システム１００と同様に、少なくとも一の組合せ計量装置１においてパラメータが設定されれば、当該パラメータを自動的に収集して共通パラメータを決定し、複数の組合せ計量装置１に対し当該共通パラメータを設定させる。この結果、複数の組合せ計量装置１（１Ａ）において組合せ計量に関するパラメータを設定する際の作業者の利便性を向上できる。
【００７８】
上記実施形態又は変形例では、検知部として光学式の測距センサ４５を一例に説明したが、例えば、カメラ等であってもよい。
【００７９】
上記実施形態又は変形例では、測距センサ４５が各放射フィーダ４に対応して１個ずつ設けられている形態を一例に説明したが、測距センサ４５は、放射フィーダ４の搬送方向に沿って複数設けられていてもよい。これにより、複数箇所の物品の層厚Ｓを検知できる。そのため、放射フィーダ４にて搬送される物品Ａの全体的な状態に基づいて、放射フィーダ４を制御できる。
【００８０】
上記実施形態又は変形例では、搬送部の例として、上述した分散フィーダ３及び複数の放射フィーダ４を挙げて説明したが、これに限定されず、物品を搬送できる構成を有するものであればよい。例えば、回転駆動可能なコイルユニット（スクリュー）、又は、ベルトコンベアが配置されてもよい。コイルユニット場合には、計量制御部２０は、送力Ｐとして、コイルユニットの回転数（ｒｐｍ）等を制御する。また、ベルトコンベアの場合には、計量制御部２０は、ベルトを駆動させるローラの回転数等を制御する。
【００８１】
上記実施形態又は変形例では、複数の組合せ計量装置から当該組合せ計量装置のそれぞれに設定される組合せ計量に関するパラメータを取得可能な取得部の例として、複数の組合せ計量装置１との通信を可能にする通信部８１（例えば、ＬＡＮインタフェース）を例に挙げて説明したが、これに限定されない。例えば、通信部の代わりに、上記のようなパラメータが記憶された可搬性の記録媒体を読み取り可能な装置を有していてもよい。
【００８２】
上記実施形態又は変形例では、パラメータ制御部８２によって設定したパラメータを、通信部８１を介して通信可能な組合せ計量装置１全てに共通に設定する例を挙げて説明したが、これに限定されない。例えば、パラメータ制御部８２は、通信部８１を介して通信可能な組合せ計量装置１の一部に、パラメータ制御部８２によって設定したパラメータを送信し、送信先の組合せ計量装置１に設定させてもよい。
【００８３】
上記実施形態又は変形例では、パラメータ制御部８２によって設定したパラメータを、そのままの内容で、通信部８１を介して通信可能な組合せ計量装置１全てに共通に設定する例を挙げて説明したが、これに限定されない。パラメータ制御部８２は、生成したパラメータに一部変更を加えた後で、通信部８１を介して通信可能な組合せ計量装置１に送信してもよい。
【００８４】
上記実施形態では、複数のホッパの例として、環状に配置された複数の計量ホッパ６及び複数のブースタホッパ７を例に挙げて説明したが、これに限定されず、マトリックス状に配置されてもよい。また、複数のホッパとして、複数のブースタホッパ７を備えない構成としてもよい。
【００８５】
本開示の一形態に係る組合せ計量装置用の制御装置は、複数の組合せ計量装置と通信する通信部と、通信部を通じて通信可能な組合せ計量装置から、組合せ計量装置に設定される組合せ計量に関するパラメータを収集し、収集したパラメータに基づき、通信部を通じて通信可能な組合せ計量装置に共通して設定する共通パラメータを決定し、通信部を通じて通信可能な組合せ計量装置に共通パラメータを送信し、送信先の組合せ計量装置に対し当該共通パラメータを設定させる制御部と、を備える。
【００８６】
本開示の一形態に係る組合せ計量装置用の制御装置は、複数の組合せ計量装置と通信する通信部と、通信部を通じて通信可能な組合せ計量装置のうち特定の組合せ計量装置に対する組合せ計量に関するパラメータを受け付ける受付部と、受付部を介して受け付けたパラメータに基づき、特定の組合せ計量装置とは異なる他の組合せ計量装置に対し、通信部を通じて通信可能な組合せ計量装置に共通して設定する共通パラメータを決定し、他の組合せ計量装置に設定した共通パラメータを送信し、送信先の組合せ計量装置に対し当該共通パラメータを設定させる制御部と、を備える。
【符号の説明】
【００８７】
１，１Ａ…組合せ計量装置、３…分散フィーダ（搬送部）、４…放射フィーダ（搬送部）、５…プールホッパ（ホッパ）、６…計量ホッパ（ホッパ）、７…ブースタホッパ（ホッパ）、１１…計量部、２０…計量制御部、４５…測距センサ、８０…管理サーバ（組合せ計量装置の制御装置）、８１…通信部、８２…パラメータ制御部（制御部）、８３…受付部、１００，２００…組合せ計量システム、２８０…制御装置（組合せ計量装置の制御装置）、Ａ…物品、Ｂ，Ｃ…係数（パラメータ）。
【図１】
2017122636.tif 000003
【図２】
2017122636.tif 000004
【図３】
2017122636.tif 000005
【図４】
2017122636.tif 000006
【図５】
2017122636.tif 000007
【国際調査報告】
2017122636.tif 000008
2017122636.tif 000009
2017122636.tif 000010
2017122636.tif 000011